(57)【要約】【課題】設置および交換作業が容易なエレベータ用照明装置を提供する。【解決手段】エレベータ用照明装置２０は、エレベータの乗籠１の天井１５に設置されている。エレベータ用照明装置２０は、発光素子２３１を有する複数の照明ユニット２３と、天井１５に固定される保持部材２２と、発光素子２３１の照射側に配置された透光板２１２とを具備している。保持部材２２は、少なくとも一列に並べられた照明ユニット２３に対して平行に配置されて照明ユニット２３を列の幅方向に挟んで両側を支持する一対の支持部２２３と、この対向する支持部２２３の間に発光素子２３１を乗籠１の内部に向かって露出させる照射口２２６と、照明ユニット２３が乗籠１の内部側から通過しうるように形成される装入口２２７とを有している。【選択図】    図２
2011105433.tif 000002
【特許請求の範囲】
【請求項１】
エレベータの乗籠の天井に設置されたエレベータ用照明装置であって、
発光素子を有する複数の照明ユニットと、
少なくとも一列に並べられた前記照明ユニットに対して平行に配置されて前記照明ユニットを前記列の幅方向に挟んで両側を支持する一対の支持部と、この対向する支持部間に前記発光素子を前記乗籠の内部に向かって露出させる照射口と、前記照明ユニットが前記乗籠の内部側から通過しうるように形成される装入口とを有し、前記天井に固定される保持部材と、
前記発光素子の照射側に配置された透光板と、
を具備したことを特徴とするエレベータ用照明装置。
【請求項２】
前記照射口は前記照明ユニットの前記列に沿って一続きに形成され、前記装入口は前記照射口の一部を拡開させて形成されていることを特徴とする請求項１に記載のエレベータ用照明装置。
【請求項３】
前記保持部材は、一対の前記支持部を連結し前記乗籠の天井に固定される底部を有することを特徴とする請求項２に記載のエレベータ用照明装置。
【請求項４】
前記発光素子は、前記照射口から突出する前記照明ユニットの一部に設けられていることを特徴とする請求項３に記載のエレベータ用照明装置。
【請求項５】
前記保持部材は、前記乗籠の外周壁に面して開放された端部を有し、
前記保持部材の端部と前記外周壁との間の距離が、前記照明ユニットの前記列方向の長さよりも短いことを特徴とする請求項２に記載のエレベータ用照明装置。
【請求項６】
前記照明ユニットは、隣り合う前記照明ユニットと互いに電気的に接続されるコネクタを有することを特徴とする請求項１に記載のエレベータ用照明装置。
【請求項７】
前記照明ユニットは、隣り合う前記照明ユニットに向かって突出するスペーサを有していることを特徴とする請求項１に記載のエレベータ用照明装置。
【請求項８】
前記照明ユニットは、隣り合う前記照明ユニットに面して設けられた磁性体を有していることを特徴とする請求項１に記載のエレベータ用照明装置。
【請求項９】
前記支持部の間に挟まれて平行に配置される一対の電源端子をさらに具備し、
前記照明ユニットは、前記電源端子に対応する位置に設けられ前記電源端子との間で電力の送受を行なう受電端子を有することを特徴とする請求項１に記載のエレベータ用照明装置。
【請求項１０】
前記照明ユニットは、前記発光素子が実装された回路基板と、前記回路基板が取り付けられ前記一対の支持部に支持される基体と、を有しており、
前記基体は、ダイカストによって成形されたアルミニウムによって形成されていることを特徴とする請求項１に記載のエレベータ用照明装置。
【発明の詳細な説明】
【技術分野】
【０００１】
本発明は、発光素子を有する照明ユニットを乗籠の天井に取り付けたエレベータ用照明装置に関する。
【背景技術】
【０００２】
エレベータの乗籠内の照明には、天井から吊り下げられた照明ケース内に設けられた蛍光灯や、ＬＥＤのような発光素子が用いられている。例えば、発光素子を用いたエレベータ用照明装置は特許文献１に開示されているものがあった。
【０００３】
特許文献１のエレベータ照明装置は、複数の面発光体が配列されたシート基板を引き出し可能に巻装している。面発光体の照度が低下した場合に、シート基板を引き出して新たな面発光体を照明板の上に配置することで、光ムラの少ない照明を得ることができる。
【０００４】
さらに、ＬＥＤを用いた照明装置の設置を容易にするため、複数のＬＥＤがあらかじめ実装された照明ユニットを用いる照明装置が特許文献２に開示されている。特許文献２のＬＥＤ照明装置は、複数のＬＥＤが列設されたベースの両端にコネクタがそれぞれ設けられている。このコネクタによって複数のＬＥＤ照明装置を連結して用いていた。
【先行技術文献】
【特許文献】
【０００５】
【特許文献１】特開２００７−１９７２１０号公報
【特許文献２】特開２００９−９９３６３号公報
【発明の概要】
【発明が解決しようとする課題】
【０００６】
特許文献１のエレベータ照明装置は、大量の面発光体を配置したシート基板を用いるため、設置時に破損しないよう注意する必要があった。さらに、全てのシート基板を使い切った場合、作業員が乗籠の上に乗って交換作業をすることになった。
【０００７】
また、特許文献２のＬＥＤ照明装置は、天井に両面テープや接着剤、もしくはねじによって固定する必要があるため、設置時の位置合せや交換時の撤去に手間がかかっていた。  上記のように、従来のエレベータ照明装置は設置および交換作業に手間がかかっていた。そこで、本発明は設置および交換作業が容易なエレベータ用照明装置を提供することを目的とする。
【課題を解決するための手段】
【０００８】
本発明に係るエレベータ用照明装置は、エレベータの乗籠の天井に設置されており、発光素子を有する複数の照明ユニットと、前記天井に固定される保持部材と、前記発光素子の照射側に配置された透光板とを具備している。前記保持部材は、少なくとも一列に並べられた前記照明ユニットに対して平行に配置されて前記照明ユニットを列の幅方向に挟んで両側を支持する一対の支持部と、この対向する前記支持部の間に前記発光素子を前記乗籠の内部に向かって露出させる照射口と、前記照明ユニットが前記乗籠の内部側から通過しうるように形成される装入口とを有している。  
前記照射口は前記照明ユニットの前記列に沿って一続きに形成され、前記装入口は前記照射口の一部を拡開させて形成されている。前記保持部材は、一対の前記支持部を連結し前記乗籠の天井に固定される底部を有する。前記発光素子は、前記照射口から突出する前記照明ユニットの一部に設けられている。  
本発明の他の形態にかかる前記保持部材は、前記乗籠の外周壁に面して開放された端部を有し、前記保持部材の端部と前記外周壁との間の距離が、前記照明ユニットの前記列方向の長さよりも短い。  
本発明のさらに他の形態にかかる前記照明ユニットは、隣り合う前記照明ユニットと互いに電気的に接続されるコネクタを有する。  
本発明のさらに他の形態にかかる前記照明ユニットは、隣り合う前記照明ユニットに向かって突出するスペーサを有している。  
本発明のさらに他の形態にかかる前記照明ユニットは、隣り合う前記照明ユニットに面して設けられた磁性体を有している。  
本発明のさらに他の形態にかかるエレベータ用照明装置は、前記支持部の間に挟まれて平行に配置される一対の電源端子をさらに具備している。前記照明ユニットは、前記電源端子に対応する位置に設けられ前記電源端子との間で電力の送受を行なう受電端子を有している。
【０００９】
本発明のさらに他の形態にかかる前記照明ユニットは、前記発光素子が実装された回路基板と、前記回路基板が取り付けられ前記一対の支持部に支持される基体とを有している。前記基体は、ダイカストによって成形されたアルミニウムによって形成されている。
【発明の効果】
【００１０】
本発明のエレベータ用照明装置は、乗籠の天井に固定された保持部材が発光素子を有する複数の照明ユニットを保持している。照明ユニットは、乗籠の内部側に開口する装入口から保持部材に装入することができるため、設置および交換作業を容易に行なうことができる。
【図面の簡単な説明】
【００１１】
【図１】本発明に係る第１の実施形態の乗籠の中から籠ドアを正面に見る投影図。
【図２】図１の乗籠の一部を示す斜視図。
【図３】図２の照明装置を保持部材の一部を切り欠いて示す縦断面図。
【図４】図２の照明ユニットを示す斜視図。
【図５】図３のＦ５−Ｆ５線に沿って示す断面図。
【図６】図４の照明ユニットを保持部材に装入する方法を示す説明図。
【図７】本発明に係る第２の実施形態の照明ユニットを示す斜視図。
【図８】本発明に係る第３の実施形態の照明装置を一部切り欠いて示す側面図。
【図９】本発明に係る第４の実施形態の照明装置を一部切り欠いて示す斜視図。
【図１０】図９の照明装置の縦断面図。
【図１１】図９の照明装置の形成方法を示す説明図。
【発明を実施するための形態】
【００１２】
以下に、本発明の第１実施形態について、図１ないし図６を参照して説明する。なお、本明細書においては、便宜上エレベータの乗籠の昇降方向を上下方向として説明する。すなわち、重力が作用する方向が本明細書で言う下方向であり、重力に反する方向が本明細書で言う上方向である。
【００１３】
図１は、エレベータの乗籠１の中から籠ドア１０を正面に見た状態を示している。乗籠１は、籠ドア１０と、籠ドア１０に隣接するリターンパネル１１と、床板１２と、一対の側板１３，１４と、図２に示す天井１５とを有している。側板１３，１４は、外周壁の一例である。
【００１４】
図２および図３に示すように、天井１５に、照明装置２０が取り付けられている。照明装置２０は、天井１５から吊り下げられる照明ボックス２１と、天井１５に固定された保持部材２２と、複数の照明ユニット２３とを有している。照明ユニット２３は、一列に並べられて保持部材２２に装入されている。
【００１５】
照明ボックス２１は、箱枠２１１と、透光板２１２とを有している。箱枠２１１は、４つの側壁２１３からなる矩形の筒状に形成されており、例えば図示しないボルトで天井１５に固定されている。
【００１６】
対向する２つの側壁２１３には、照明ボックス２１内に風を通すための通風孔２１５が設けられている。通風孔２１５は、側壁２１３の上端から中程までに設けられている。４つの側壁２１３の下端によって、矩形の開口部２１６が形成されている。
【００１７】
図３に示すように、透光板２１２は、開口部２１６に取り外し可能に取り付けられ、天井１５に対向している。透光板２１２は、アクリルなどの透光性材料で形成されており、透過する光を拡散する。
【００１８】
図４は、照明ユニット２３を示している。照明ユニット２３は、図５に示すように縦断面がＣ形状の鋼板からなる保持部材２２に装入される。照明ユニット２３は、発光素子としての複数のＬＥＤ２３１と、矩形の回路基板２３２と、縦断面が凸形状の基体２３３とを有している。
【００１９】
複数のＬＥＤ２３１は、回路基板２３２の頂部に長手方向に所定間隔を持って一列に複数個並んで実装されている。なお、本発明の発光素子はＬＥＤ２３１に限らず、エレクトロルミネセンス素子のような他の発光素子を用いても良い。
【００２０】
基体２３３は、矩形状のベース部２３５と、ベース部２３５から突出する突出部２３６とを有している。突出部２３６は、照明ユニット２３の列方向におけるベース部２３５の一方の端部２３５ａから、他方の端部２３５ｂに亘って設けられている。突出部２３６には、回路基板２３２が取り付けられている。
【００２１】
基体２３３は、ダイカストによって成形されたアルミニウムによって形成されている。なお、基体２３３は、図５に示すような中実構造に限らず、中空の箱型であっても良い。
【００２２】
さらに、照明ユニット２３は、第１のコネクタ２３８と、第２のコネクタ２３９とを有している。第１のコネクタ２３８は、回路基板２３２の長手方向の一方の端部２３２ａに設けられている。第２のコネクタ２３９は、回路基板２３２の長手方向の他方の端部２３２ｂに設けられ、第１のコネクタ２３８を接続することができる。照明ユニット２３は、第１のコネクタ２３８を隣り合う照明ユニット２３の第２のコネクタ２３９に接続することにより、互いに電気的に接続される。
【００２３】
図２に示すように、第１のコネクタ２３８は、天井１５に設けられた電源コネクタ１５１にも接続可能である。電源コネクタ１５１は、図示しないエレベータの電源に電気的に接続されている。
【００２４】
第１のコネクタ２３８を電源コネクタ１５１に接続すると、照明ユニット２３に電力が供給される。電源コネクタ１５１から供給される電力は、第１および第２のコネクタ２３８，２３９によって互いに電気的に接続された複数の照明ユニット２３に行き渡る。
【００２５】
図５に示すように、保持部材２２は、天井１５に固定された板状の底部２２１と、側部２２２を含む一対の支持部２２３とを有している。一対の側部２２２は、底部２２１の両端から下方向に向かってそれぞれ延びている。すなわち、一対の支持部２２３は、底部２２１によって連結されている。
【００２６】
一対の支持部２２３は、一列に並べられた照明ユニット２３に対して平行に配置され、照明ユニット２３を列の幅方向に挟んでいる。保持部材２２に照明ユニット２３が装入されると、照明ユニット２３のベース部２３５の両側が支持部２２３に支持される。
【００２７】
底部２２１および一対の支持部２２３に囲まれる保持部材２２の内部２２４は、照明ユニット２３のベース部２３５を装入可能な大きさを有している。保持部材２２は、例えばリップ溝型鋼（ＪＩＳ  Ｇ  ３３５０−１９８７）や、一部を切削した角型鋼管を適用可能である。
【００２８】
図２および図３に示すように、保持部材２２は、複数の照明ユニット２３を装入可能な長さを有している。乗籠１の側板１３，１４と保持部材２２の端部２２５との間の距離は、図４に示す照明ユニット２３の列方向長さＹ１よりも短い。
【００２９】
保持部材２２の端部２２５は、側板１３，１４および通風孔２１５に面して開放されている。なお、端部２２５は、例えば図示しない取り外し可能な蓋を取り付けられて塞がれても良い。
【００３０】
一対の支持部２２３の間に、照明ユニット２３の列に沿って一続きに形成された照射口２２６が設けられている。照射口２２６は、図４に示す突出部２３６の幅方向長さＸ１よりも広く、ベース部２３５の幅方向長さＸ２よりも狭い。このため、保持部材２２に照明ユニット２３が装入されると、照明ユニット２３の突出部２３６が照射口２２６から突出し、ＬＥＤ２３１および回路基板２３２が照射口２２６から乗籠１の内部に向かって露出する。
【００３１】
図２および図３に示すように、保持部材２２には、照射口２２６の一部を側部２２２と支持部２２３にわたるように拡開させて形成された装入口２２７が設けられている。装入口２２７は、保持部材２２の中程に設けられ、乗籠１の内部に向いている。装入口２２７は、照明ユニット２３が通過しうる大きさを有している。
【００３２】
照明装置２０は、次のように形成される。図６に示すように、透光板２１２を取り外した状態で、所望の明るさを得るために必要な個数の照明ユニット２３が保持部材２２に装入される。照明ユニット２３は、図６の矢印Ａまたは矢印Ｂ方向に装入口２２７から保持部材２２に装入される。
【００３３】
照明ユニット２３は、保持部材２２に装入されると支持部２２３に支持される。支持部２２３に支持された照明ユニット２３は、例えば指で押されて保持部材２２の内部２２４をスライドして所望の位置へ移動させられる。
【００３４】
必要に応じて、保持部材２２に装入した照明ユニット２３の一部を、一時的に保持部材２２の端部２２５から飛び出させても良い。図６に示すように、開放されている保持部材２２の端部２２５と照明ボックス２１の通風孔２１５とが面しているため、一時的に照明ユニット２３の一部を通風孔２１５から飛び出させても良い。
【００３５】
必要な個数の照明ユニット２３を保持部材２２に装入した後、それぞれの照明ユニット２３は所望の位置に配置される。例えば図２および図３に示すように、複数の照明ユニット２３は、点灯時の光ムラを防止するために等間隔に配置される。
【００３６】
複数の照明ユニット２３は、それぞれ自重によって配置された位置に留まる。なお、照明ユニット２３は、例えばねじのような固定手段によって配置された位置で保持部材２２に固定されても良い。
【００３７】
図２および図３に示すように、複数の照明ユニット２３を所望の位置に配置した際に、一部が装入口２２７にかかる照明ユニット２３は、保持部材２２の支持部２２３に支持されて落下しないように配置される。すなわち、照明ユニット２３は、図４の列方向長さＹ１の半分以上に亘って保持部材２２の支持部２２３に支持される。
【００３８】
複数の照明ユニット２３を所望の位置に配置した後、照明ユニット２３の第１のコネクタ２３８と、隣り合う照明ユニット２３の第２のコネクタ２３９とを接続する。さらに、最も端に配置された照明ユニット２３の第１のコネクタ２３８を、電源コネクタ１５１に接続する。
【００３９】
複数の照明ユニット２３を所望の位置に配置し、第１および第２のコネクタ２３８，２３９をそれぞれ接続した後、透光板２１２を照明ボックス２１の開口部２１６に取り付ける。透光板２１２は、ＬＥＤ２３１の照射側に配置される。これにより、照明装置２０が形成される。
【００４０】
前記構成の照明装置２０によれば、複数のＬＥＤ２３１と、ＬＥＤ２３１が実装される回路基板２３２と、電力供給に用いる第１および第２のコネクタ２３８，２３９とが１つの照明ユニット２３に含まれている。この照明ユニット２３を保持部材２２に装入し、第１のコネクタ２３８と電源コネクタ１５１とを接続し、透光板２１２を開口部２１６に取り付けることで照明装置２０を形成することができる。
【００４１】
保持部材２２に装入口２２７が設けられることで、乗籠１の側板１３，１４と保持部材２２の端部２２５との間の距離が照明ユニット２３の列方向長さＹ１よりも短い場合であっても、装入口２２７から照明ユニット２３を保持部材２２に装入することができる。さらに、装入口２２７が乗籠１の内部に向いているため、乗籠１の中から照明ユニット２３を保持部材２２に装入することができる。このように、乗籠１の内部から簡単な作業で照明装置２０を形成することができる。
【００４２】
照度が低下した照明ユニット２３を交換する際も、照明ユニット２３が装入口２２７を通過可能であるため容易に行なうことができる。すなわち、装入口２２７から照度が低下した照明ユニット２３を取り出し、装入口２２７から新しい照明ユニット２３を装入すればよい。  
以上のように、照明装置２０は設置および交換作業を容易に行なうことができる。
【００４３】
さらに、保持部材２２に複数の照明ユニット２３を装入し、それぞれ隣り合う照明ユニット２３の第１のコネクタ２３８と第２のコネクタ２３９とを接続することで、隣り合う照明ユニット２３が互いに電気的に接続される。
【００４４】
互いに電気的に接続された複数の照明ユニット２３は、第１のコネクタ２３８を電源コネクタ１５１に接続した照明ユニット２３から電力の供給を受ける。このように、保持部材２２に装入される照明ユニット２３を追加して所望の照度を得ることができる。
【００４５】
加えて、照明ユニット２３は、例えば指で押されることで、保持部材２２の内部２２４をスライドして移動することができる。これにより、照明ユニット２３を容易に保持部材２２の所望の位置へ配置することができる。
【００４６】
さらに、一時的に照明ユニット２３の一部を通風孔２１５から飛び出させることができる。これにより、保持部材２２に装入される照明ユニット２３が多くなっても、既に装入されている照明ユニット２３に邪魔されずに装入口２２７から照明ユニット２３を装入することができる。最大で、保持部材２２の一方の端部２２５から他方の端部２２５まで、隙間無く照明ユニット２３を装入することができる。
【００４７】
さらに、照明ユニット２３の基体２３３は、ダイカストによって成形されたアルミニウムによって形成されているため、放熱性に優れている。これにより、ＬＥＤ２３１が発する熱が、基体２３３から保持部材２２に伝わって効率よく放熱される。
【００４８】
なお、装入口２２７は、保持部材２２に照明ユニット２３を装入した後に、例えば蓋やワイヤーで塞がれても良い。この場合、装入口２２７の上に照明ユニット２３を配置することができ、装入口２２７から照明ユニット２３が落下することを防止できる。
【００４９】
さらに、保持部材２２は、図２および図３に示すような直線状に限らず、例えば曲線状や円環状であっても良い。この場合、照明ユニット２３は保持部材２２に装入可能な形状に形成される。
【００５０】
次に、本発明の他の実施の形態について、図７ないし図１０を参照して説明する。このとき、第１の実施形態の照明装置２０と同一の機能を有する構成部分には同一の参照符号を付してその説明を省略する。
【００５１】
図７は、第２の実施形態の照明ユニット２３を示している。第２の実施形態の照明ユニット２３は、スペーサ２４１を有している。スペーサ２４１は、基体２３３と一体に形成されており、ベース部２３５の一方の端部２３５ａから隣り合う照明ユニット２３に向かって突出している。保持部材２２に装入された照明ユニット２３のスペーサ２４１は、他の照明ユニット２３のベース部２３５の他方の端部２３５ｂに当接する。
【００５２】
前記構成の照明装置２０によれば、保持部材２２に装入された複数の照明ユニット２３は、互いにスペーサ２４１によって一定の間隔を保たれる。これにより、複数の照明ユニット２３を容易に等間隔に配置し、点灯時の光ムラを防止することができる。
【００５３】
図８は、第３の実施形態の照明装置２０を示している。第３の実施形態の照明ユニット２３は、磁性体２４３を有している。磁性体２４３は、基体２３３のベース部２３５の一方の端部２３５ａおよび他方の端部２３５ｂに設けられ、隣り合う照明ユニット２３に面している。
【００５４】
保持部材２２に装入された複数の照明ユニット２３は、それぞれ磁性体２４３を介して接触している。隣り合う照明ユニット２３は、磁性体２４３によって引き付け合い、相対的に移動し難くなる。
【００５５】
前記構成の照明装置２０によれば、保持部材２２に装入された複数の照明ユニット２３は、それぞれ磁性体２４３によって互いに引き付け合い離れにくい。これにより、例えば乗籠１が横方向に揺れた場合であっても、複数の照明ユニット２３がばらばらに移動することを防止できる。
【００５６】
さらに、保持部材２２から照明ユニット２３を取り出す場合、例えば金属製の棒を保持部材２２に装入し、照明ユニット２３の磁性体２４３にくっつければ、容易に照明ユニット２３を保持部材２２から取り出すことができる。
【００５７】
次に、図９ないし図１１を参照して、第４の実施形態について説明する。支持部２２３の間に挟まれる底部２２１に、一対の電源端子２４５が設けられている。電源端子２４５は、図示しないエレベータの電源と電気的に接続されており、保持部材２２が延びる方向に沿って平行に配置されている。なお、保持部材２２は、絶縁材料で形成されるか、表面を絶縁体でコーティングされている。
【００５８】
図１０に示すように、照明ユニット２３は、受電端子２４６を有している。受電端子２４６は、ベース部２３５の電源端子２４５に対応する位置に設けられている。受電端子２４６は板ばねであり、回路基板２３２と電気的に接続されている。なお、照明ユニット２３の基体２３３は、絶縁材料で形成されるか、表面を絶縁体でコーティングされている。
【００５９】
照明ユニット２３の列方向長さＹ１は、照射口２２６の幅よりも短い。このため図９に示すように、照明ユニット２３は、矢印Ｃ１方向に照射口２２６から保持部材２２に装入可能である。このように、照射口２２６は本発明の装入口としても機能する。
【００６０】
図１１に示すように、照明ユニット２３を回転させたときの突出部２３６の最大幅Ｌ１は、照射口２２６の幅Ｌ２よりも狭い。さらに、照明ユニット２３を回転させたときのベース部２３５の最大幅Ｌ３は、保持部材２２の内部２２４の幅Ｌ４よりも狭い。
【００６１】
このため、照明ユニット２３は、保持部材２２の内部２２４で図９の矢印Ｃ２方向へ９０度回転することができる。矢印Ｃ２方向は、ベース部２３５の一方の端部２３５ａが保持部材２２の側部２２２に向く方向から、ベース部２３５の一方の端部２３５ａが保持部材２２の端部２２５に向く方向へ回転する方向である。
【００６２】
照射口２２６から保持部材２２に装入された照明ユニット２３が９０度回転させられると、図１０に示すように電源端子２４５と受電端子２４６とが接触して電気的に接続する。受電端子２４６は、板ばねであるため電源端子２４５を押圧する。
【００６３】
電源端子２４５と受電端子２４６とが電気的に接続すると、照明ユニット２３に電力が供給される。すなわち、電源端子２４５と受電端子２４６との間で電力の送受が行なわれる。
【００６４】
前記構成の照明装置２０によれば、照明ユニット２３を照射口２２６から保持部材２２に装入し、９０度回転させることで照明ユニット２３に電力供給を行なうことができる。これにより、さらに容易に照明装置２０の設置および交換作業を行なうことができる。
【符号の説明】
【００６５】
１…乗籠，１５…天井，２０…照明装置，２１２…透光板，２２…保持部材，２２３…支持部，２２６…照射口，２２７…装入口，２３…照明ユニット，２３１…ＬＥＤ，２３２…回路基板，２３３…基体，２３８…第１のコネクタ，２３９…第２のコネクタ，２４１…スペーサ，２４３…磁性体，２４５…電源端子，２４６…受電端子。
【図１】
2011105433.tif 000003
【図２】
2011105433.tif 000004
【図３】
2011105433.tif 000005
【図４】
2011105433.tif 000006
【図５】
2011105433.tif 000007
【図６】
2011105433.tif 000008
【図７】
2011105433.tif 000009
【図８】
2011105433.tif 000010
【図９】
2011105433.tif 000011
【図１０】
2011105433.tif 000012
【図１１】
2011105433.tif 000013